(57)【要約】【課題】当り遊技中に、一方の大入賞部品の入賞口が開いた状態から閉じた状態に変化した後、他方の大入賞部品の入賞口が閉じた状態から開いた状態に変化した場合において、一方の大入賞部品の入賞口に入らなかった球を他方の大入賞部品の入賞口に入賞させ易い構成の遊技機を提供する。【解決手段】遊技盤３の遊技領域２５の上部側に上大入賞部品７０を備え、遊技領域２５の下部側に下大入賞部品５７を備えるとともに、当り遊技中に、上大入賞部品７０の入賞口７１が開いた状態から閉じた状態に変化した後、下大入賞部品５７の入賞口７８が閉じた状態から開いた状態に変化した場合において、上大入賞部品７０の入賞口７１に入らずに遊技領域２５を流下する球を下大入賞部品５７の入賞口７８に入賞し易いように誘導する誘導手段８０Ａを備えた。【選択図】図１
2013056039.tif 000002
【特許請求の範囲】
【請求項１】
遊技盤の遊技領域の上部側に上大入賞部品を備え、遊技領域の下部側に下大入賞部品を備えるとともに、当り遊技中に、上大入賞部品の入賞口が開いた状態から閉じた状態に変化した後、下大入賞部品の入賞口が閉じた状態から開いた状態に変化した場合において、上大入賞部品の入賞口に入らずに遊技領域を流下する球を下大入賞部品の入賞口に入賞し易いように誘導する誘導手段を備えたことを特徴とする遊技機。
【請求項２】
誘導手段は、釘により形成された誘導路と、上大入賞部品の入賞口に入らずに遊技領域を流下する球を誘導路に誘導する球受案内面を有した球受案内部材とを備えたことを特徴とする請求項１に記載の遊技機。
【請求項３】
誘導路においては、釘と釘との間に、球を下大入賞部品の入賞口に誘導せずに下大入賞部品の下方に誘導する可能性のある間隔が１つ以上形成され、当該間隔の合計寸法Ｘと下大入賞部品の入賞口の横幅寸法Ｙとの関係が、合計寸法Ｘ＜横幅寸法Ｙとなるように構成されたことを特徴とする請求項２に記載の遊技機。
【発明の詳細な説明】
【技術分野】
【０００１】
本発明は、遊技盤の遊技領域に複数の大入賞部品を備えた遊技機に関する。
【背景技術】
【０００２】
遊技盤の前面の遊技領域に２つの大入賞部品を設け、１回の当り遊技において２つの大入賞部品の入賞口を交互に開放させる構成の遊技機（特許文献１参照）や、１回の当り遊技において所定ラウンドまでは一方の大入賞部品の入賞口を開放させ、所定ラウンド以降は他方の大入賞部品の入賞口を開放させる構成の遊技機（特許文献２参照）が知られている。
【先行技術文献】
【特許文献】
【０００３】
【特許文献１】特開２００３−３０５２３３号公報
【特許文献２】特開２００５−１３１０２７号公報
【発明の概要】
【発明が解決しようとする課題】
【０００４】
しかしながら、特許文献１；２に開示された遊技機によれば、当り遊技中に、一方の大入賞部品の入賞口が開いた状態から閉じた状態に変化した後、他方の大入賞部品の入賞口が閉じた状態から開いた状態に変化した場合において、一方の大入賞部品の入賞口に入らなかった球が他方の大入賞部品の入賞口にも入らずにアウト球になり易い。
そこで、本発明は上記課題を解決すべく、当り遊技中に、一方の大入賞部品の入賞口が開いた状態から閉じた状態に変化した後、他方の大入賞部品の入賞口が閉じた状態から開いた状態に変化した場合において、一方の大入賞部品の入賞口に入らなかった球を他方の大入賞部品の入賞口に入賞させ易い構成の遊技機を提供する。
【課題を解決するための手段】
【０００５】
本発明の遊技機は、遊技盤の遊技領域の上部側に上大入賞部品を備え、遊技領域の下部側に下大入賞部品を備えるとともに、当り遊技中に、上大入賞部品の入賞口が開いた状態から閉じた状態に変化した後、下大入賞部品の入賞口が閉じた状態から開いた状態に変化した場合において、上大入賞部品の入賞口に入らずに遊技領域を流下する球を下大入賞部品の入賞口に入賞し易いように誘導する誘導手段を備えたので、上大入賞部品の入賞口に入らなかった球が下大入賞部品の入賞口に入り易くなり、上大入賞部品の入賞口に入らなかった球が下大入賞部品の入賞口にも入らない可能性を少なくできる。
誘導手段は、釘により形成された誘導路と、上大入賞部品の入賞口に入らずに遊技領域を流下する球を誘導路に誘導する球受案内面を有した球受案内部材とを備えたので、球が球受案内部材から誘導路に誘導され、誘導路を経由して下大入賞部品の入賞口に入り易くなる。
誘導路においては、釘と釘との間に、球を下大入賞部品の入賞口に誘導せずに下大入賞部品の下方に誘導する可能性のある間隔が１つ以上形成され、当該間隔の合計寸法Ｘと下大入賞部品の入賞口の横幅寸法Ｙとの関係が、合計寸法Ｘ＜横幅寸法Ｙとなるように構成されたので、球が下大入賞部品の入賞口に入らずに下大入賞部品の下方に誘導される可能性が少なくなり、球が下大入賞部品の入賞口に誘導される可能性が多くなる。
【図面の簡単な説明】
【０００６】
【図１】パチンコ機の正面図（実施形態１）。
【図２】遊技盤の右側遊技領域及び下側遊技領域を示す拡大図（実施形態１）。
【図３】遊技盤に取付けられたセンター役物の右飾り部を示す斜視図（実施形態１）。
【図４】遊技盤の下側遊技領域における誘導手段を示す拡大図（実施形態１）。
【図５】パチンコ機の制御ブロック図（実施形態１）。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
実施形態１
図１は、遊技機の一例としてのパチンコ機１の全体正面図である。同図を用いてパチンコ機１の概略について説明する。尚、本明細書において上下左右方向とは、図１における矢印で表される方向を言い、図１の紙面の前側をパチンコ機１の前側、図１の紙面の裏側をパチンコ機１の裏側と言うものとする。
【０００９】
パチンコ機１は、遊技機枠２と、遊技機枠２に着脱可能に取付けられた遊技盤３と、遊技盤３の裏面又は遊技機枠２の裏面に取付けられたＬＣＤ，ＣＲＴ，或いは、回転ドラム式等の画像表示装置４、払出装置１６０（図５参照）、制御装置１００（図５参照）等の裏側部品とを備える。
【００１０】
遊技機枠２は、遊技場の島と呼ばれる図外の遊技設置構造体に取付けられる外枠と呼ばれるような固定枠５と、固定枠５に開き戸状に開閉自在に取付けられた内枠と呼ばれるような開閉枠６と、開閉枠６の前側に開閉枠６に対して開き戸状に開閉自在に取付けられた前扉７及び皿構造体８とを備える。
開閉枠６は、例えば、左側のヒンジ９；９で前側横方向に片開き可能かつ着脱可能（交換可能）に固定枠５に取付けられる。
前扉７は、例えば、図外の左側上部のヒンジで前側横方向に片開き可能かつ着脱可能（交換可能）に開閉枠６に取付けられる。前扉７は、前後方向に開放された窓１０を囲む額縁形状の枠部１１を備え、ガラス又は合成樹脂からなる光透過性を有する前面パネル１２が窓１０を裏側から覆うように枠部１１の裏面に取付けられた構成である。前扉７の枠部１１の前面には、ＬＥＤ等からなる複数の装飾ランプ１５やスピーカ１６が設けられる。
皿構造体８は、例えば、左側下部の図外のヒンジで前側横方向に片開き可能かつ着脱可能（交換可能）に開閉枠６に取付けられる。皿構造体８は、発射操作機構（発射ハンドル）１３、受皿１４等を備える。閉じられた皿構造体８の裏側に位置する開閉枠６の前面の下部側には、発射装置１９が設けられる。
【００１１】
遊技盤３は、基板となるベニヤ板の一方の板面にはセルと呼ばれる樹脂製のシート状化粧材が貼着されて当該シート状化粧材の表面が遊技盤面１７となるように形成される。
遊技盤３には、遊技盤３の図外の裏面と遊技盤３の表面である遊技盤面１７とに貫通する図外の貫通孔が形成される。貫通孔は、遊技機１の前側から画像表示装置４の表示画面４ａを見えるようにするための中央貫通孔、遊技球（パチンコ球）Ｐ（以下、単に、球という）を遊技盤面１７から遊技盤３の裏面側に導くための球排出用貫通孔等である。
【００１２】
遊技盤面１７の外周端部付近には、遊技盤面１７の中心部を円中心とした円弧状のガイドレール１８が取り付けられている。ガイドレール１８で囲まれた内側の領域における遊技盤面１７には、センター役物２０、入賞部品、釘２２、風車２３、アウト口２４等が設けられる。
遊技盤３は、閉じられた前扉７の前面パネル１２の裏側に位置するように開閉枠６の前面の上部側に設けられた図外の遊技盤設置部に遊技盤面１７を前側に向けて着脱可能に取付けられる。
【００１３】
遊技盤設置部に遊技盤面１７を前側に向けて取付けられた遊技盤３の遊技盤面１７と閉じられた前扉７の前面パネル１２との間に、発射装置１９により発射された球の飛び交う遊技領域２５が、ガイドレール１８で囲まれた内側の領域として形成される。
ガイドレール１８は、内ガイドレール１８ａと外ガイドレール１８ｂとを備え、内ガイドレール１８ａと外ガイドレール１８ｂとの間で球通路１８ｃが形成され、発射操作機構１３の操作により発射装置１９から発射された球が球通路１８ｃを経由して遊技領域２５内に導かれる。
【００１４】
役物装置としてのセンター役物２０の構成を図１乃至図３を参照しながら説明する。
図１に示すように、センター役物２０は、ガイドレール１８で囲まれた内側の領域の遊技盤面１７における例えば中央部と右上部とを覆うように遊技盤面１７に取付けられる。
センター役物２０は、画像表示装置４の表示画面４ａの前側に位置される光透過性を有する透過パネル３１と、透過パネル３１の周囲を取り囲むように設けられた飾り部３２とを備える。
【００１５】
飾り部３２は、遊技盤面１７を装飾する部材であり、右上飾り部３３、右飾り部３４、左上飾り部３５、左飾り部３６、下飾り部３７を備える。
左上飾り部３５、左飾り部３６、右上飾り部３３、右飾り部３４は、前面４０と、前面の外端縁（遊技盤３の外周に近い側の端縁）より遊技盤面１７に近づく方向に延長する外壁面４１と、前面４０の内端縁（遊技盤３の中心に近い側の端縁）より遊技盤面１７に近づく方向に延長する内壁面４２と、外壁面４１より外側に延長するように設けられて遊技盤面１７に止めねじ等の取付具により取付けられる取付フランジ４３と、を備える。
下飾り部３７は、遊技盤面１７に止めねじ等の取付具により取付けられる取付フランジ４５と、取付フランジ４５の内端縁（遊技盤３の中心に近い側の端縁）より遊技盤３の裏面に近づく方向に延長する内壁面４６と、を備える。
尚、当該内壁面４６はステージ３６ｂとして機能する。即ち、左飾り部３６の下方の一部には、左飾り部３６の外壁面４１と内壁面４２とに貫通するワープ通路３６ａが形成されており、左側遊技領域５４からワープ通路３６ａに取り込まれた球は、ステージ３６ｂ上に導かれる。当該ワープ通路３６ａを介してステージ３６ｂ上に導かれた球は、ステージ３６ｂ上を左右方向に転動する過程において下方に落下するか、或いは、ステージ３６ｂの中央部に開設された導出口３６ｃに取り込まれた後、始動入賞部品５６の入賞口５６ａの真上に位置するように取付フランジ４５に設けられた落下口３６ｄを介して下方に落下する。
【００１６】
右上飾り部３３の外壁面４１は、外ガイドレール１８ｂの右上側レール部に沿った形状に形成されており、右上飾り部３３の外壁面４１と外ガイドレール１８ｂの右上側レール部の間で球を１個ずつ流下させることの可能な右側遊技領域導入路４７が形成される。
右飾り部３４の外壁面４１と内ガイドレール１８ａの右側レール部との間の遊技盤面１７には上大入賞部品７０、スルーチャッカー５０、可変入賞部品５１、釘２２が設けられて、球が飛び交い流下可能な右側遊技領域５２が形成される。
左上飾り部３５の外壁面４１と外ガイドレール１８ｂの上側レール部との間の遊技盤面１７には釘２２等が設けられて球が飛び交い流下可能な左上側遊技領域５３が形成される。
左飾り部３６の外壁面４１と内ガイドレール１８ａの左側レール部との間の遊技盤面１７には釘２２、風車２３等が設けられて、球が飛び交い流下可能な左側遊技領域５４が形成される。
下飾り部３７と内ガイドレール１８ａの下側レール部との間の遊技盤面１７には釘２２、球受案内部材５５、始動入賞部品５６、下大入賞部品５７、一般入賞部品５８、アウト口２４等が設けられて、球が飛び交い流下可能な下側遊技領域５９が形成される。始動入賞部品５６は遊技領域２５の下部における左右間の中央に設けられ、下大入賞部品５７は遊技領域２５の下部における左右間の中央寄り右側に設けられる。
飾り部３２の前面４０と前扉７が閉じられた状態での前面パネル１２の裏面との間の間隔は球１個分の直径よりも小さく構成されており、前扉７が閉じられた状態の前面パネル１２の裏面と飾り部３２の前面４０との間を球が通過することはない。よって、球が右側遊技領域５２、左上側遊技領域５３、左側遊技領域５４から飾り部３２の前面４０を通過して飾り部３２の内壁面４２側（センター役物２０の内側）に入ることはない。
【００１７】
右飾り部３４の外壁面４１は、上側壁部６０、球案内壁部６１、上大入賞部品７０の入賞口７１への入賞導入壁部６２、下側壁部６３を備える。
上側壁部６０は、右上飾り部３３の外壁面４１の下端より延長して内ガイドレール１８ａとは反対方向に湾曲するような湾曲壁面、即ち、上端から左下方向に延長した後に右下方向に延長するように湾曲した湾曲壁面により形成される。
球案内壁部６１は、上側壁部６０の下端より右方向に下るように延長する傾斜壁面により形成される。
【００１８】
図２に示すように、上大入賞部品７０の入賞口７１への入賞導入壁部６２は、球案内壁部６１の右終端６１ｅより左方向に下るように延長する傾斜壁面６４と、傾斜壁面６４の下端より下方に延長する上側上下方向壁面６５と、当該上側上下方向壁面６５の下端より左方向に延長する上側左右方向壁面６６と、当該上側左右方向壁面６６の左端より下方に延長する下側上下方向壁面６７と、当該下側上下方向壁面６７の下端より左側に膨らみながら下方向に延長する湾曲壁面６８と、湾曲壁面６８の下端より右方向に延長する下側左右方向壁面６９とにより形成される。下側左右方向壁面６９は右端から左端に向けて若干下るように傾斜する傾斜面に形成される。
下側壁部６３は、入賞導入壁部６２の下側左右方向壁面６９の右端より略垂直方向に延長する上下方向壁面により形成される。
【００１９】
図１に示すように、上側壁部６０と球案内壁部６１と内ガイドレール１８ａの右上側レール部との間で囲まれた遊技盤面１７には、釘２２とスルーチャッカー５０とが設けられる。
右飾り部３４には、上大入賞部品７０と可変入賞部品５１とが設けられる。
上大入賞部品７０は、入賞導入壁部６２と、入賞導入壁部６２より内ガイドレール１８ａに近づく方向に延長するよう設けられて遊技盤面１７に止めねじ等の取付具により取付けられる取付フランジ４３ａと、入賞導入壁部６２の下側左右方向壁面６９に当該壁面６９を貫通するように形成された貫通孔よりなる入賞口７１と、入賞口７１に入った球を図外の球回収部に誘導する図外の回収樋と、当該回収樋に設けられた上大入賞球検出器１２１（図５参照）と、入賞口７１への導入口７２と、導入口７２を開閉する羽根部材７３と、図外のソレノイドのような羽根部材駆動装置１５１（図５参照）とを備える。
【００２０】
図２に示すように、羽根部材７３は、下端部が遊技盤面１７と直交する回転中心軸７３ｄに連結されて、上下方向に略垂直に延長する導入口閉状態Ａと回転中心軸７３ｄ側から右上方向に延長する導入口開状態Ｂとに可変可能なように、羽根部材駆動装置１５１によって駆動される。回転中心軸７３ｄは下側壁部６３のほぼ真上に位置するよう設けられる。
【００２１】
図２；図３に示すように、入賞導入壁部６２は湾曲壁面６８の前縁より右側に延長して遊技盤面１７と平行な平板により形成された前側覆板７４を備え、当該前側覆板７４と湾曲壁面６８と取付フランジ４３ａとで囲まれた空間により入賞口７１への導入空間７５が形成される。
また、当該前側覆板７４の右端縁と下側上下方向壁面６７の下端縁と入賞口７１の右側開口縁と取付フランジ４３ａとで囲まれた開口により導入空間７５への入口となる導入口７２が形成される。
【００２２】
上側左右方向壁面６６は、導入口閉状態Ａの羽根部材７３の上端面と略平行に対向する壁面に形成される。
下側上下方向壁面６７は、導入口閉状態Ａの羽根部材７３の上端側左側面と略平行に対向する壁面に形成される。
上側左右方向壁面６６と導入口閉状態Ａの羽根部材７３の上端面との間の間隔、及び、下側上下方向壁面６７と導入口閉状態Ａの羽根部材７３の上端側左側面との間の間隔は、球１個分の直径よりも小さい寸法に形成される。
羽根部材７３の前面と前扉７が閉じられた状態での前面パネル１２の裏面との間の間隔は球１個分の直径よりも小さく構成されている。
従って、羽根部材７３の導入口閉状態Ａにおいては、右側遊技領域５２から導入口７２への通路が羽根部材７３により塞がれた状態となり、球が右側遊技領域５２から導入口７２を介して導入空間７５に入って入賞口７１に入賞することはない。
【００２３】
図２に示すように、羽根部材７３の左側面は、羽根部材７３が導入口開状態Ｂとされた場合に右側遊技領域５２からの球を受けて球を導入口７２に導く球受面７３ａとして機能する。
即ち、羽根部材７３の導入口開状態Ｂにおいては、球が右側遊技領域５２から羽根部材７３の球受面７３ａ上を移動し、導入口７２、導入空間７５を経由して入賞口７１に入る。
【００２４】
可変入賞部品５１は、上大入賞部品７０の取付フランジ４３ａと下側壁部６３と球受案内部材５５とで囲まれた遊技盤面１７に設けられる。
可変入賞部品５１は、概略、遊技盤３の前後方向に貫通する入賞孔５１Ａと、当該入賞孔５１Ａの下縁部において遊技盤３の前後方向に進退動作するガイド片５１Ｂと、遊技盤面１７への取付フランジ５１Ｃとを備える。具体的には、ガイド片５１Ｂは、遊技盤３の前後方向に進退可能な舌片であって、当り遊技中以外の遊技中において、球がスルーチャッカー５０を通過したことを示すスルーチャッカー通過球検出器１２３からの球検出信号を主制御部１０１が入力すると、主制御部１０１が抽選を行い、所定の確率で、遊技盤３の裏側において連結されたソレノイド等のガイド片駆動装置１５３（図５参照）を駆動することによって、ガイド片５１Ｂが遊技盤面１７よりも前側に突出する。そして、ガイド片５１Ｂが前側に突出したタイミングで球がガイド片５１Ｂ上に乗ることにより、球が入賞孔５１Ａ内に誘導される。尚、当り遊技中においては、主制御部１０１は、スルーチャッカー５０の球検出器からの球検出信号の入力を無効にする。これにより、当り遊技中においては、ガイド片５１Ｂが遊技盤面１７よりも前側に突出することはない。
【００２５】
球受案内部材５５は、遊技盤面１７に取付けられて遊技盤面１７より前側に突出するフロック体により形成され、上面が球受案内面７７に形成される。
球受案内部材５５と内ガイドレール１８ａとの間、及び、球受案内部材５５の前面と前扉７が閉じられた状態での前面パネル１２の裏面との間の間隔は、球１個分の直径よりも小さく構成されており、球が球受案内部材５５と内ガイドレール１８ａとの間や球受案内部材５５の前面と前面パネル１２の裏面との間に流入することはない。
【００２６】
球受案内部材５５の球受案内面７７は、右端から左端に向けて下るように傾斜する傾斜面に形成される。そして、例えば、この球受案内面７７の傾斜面とほぼ同一平面上に下側壁部６３の下端面６３ａが位置するように構成される。
【００２７】
図４に示すように、下大入賞部品５７は、遊技盤面１７に開口する横長矩形の入賞口７８と、当該入賞口７８の前方を閉塞し、前後方向に開閉自在な開閉体７９とを備え、当該開閉体７９が遊技盤３の背面に装着される図外のソレノイド等の開閉体駆動装置１５２（図５参照）による駆動によって下端部を回動中心として前方に回動し、入賞口７８を開く開放状態となることにより、右側遊技領域５２から流下してくる球を開閉体７９の内面経由で入賞口７８の内部に取り込むことが可能な構成である。入賞口７８の内部には、入賞口７８に取り込まれた球を検出する下大入賞球検出器１２２（図５参照）が設けられる。
【００２８】
下大入賞部品５７は、下飾り部３７の取付フランジ４５の右下端縁４５ｘと球受案内部材５５と始動入賞部品５６と内ガイドレール１８ａの右下レール部分とで囲まれた遊技盤面１７に設けられる。
特に、下大入賞部品５７は、下飾り部３７の取付フランジ４５の下端、及び、球受案内部材５５の下端よりも下方に位置され、かつ、羽根部材７３よりも左側でかつ始動入賞部品５６よりも右側に位置され、さらに、入賞口７８の上縁が始動入賞部品５６の入賞口５６ａとがほぼ同一水平面上に位置するように設けられる。
尚、例えば図２に示すように、球受案内部材５５と下大入賞部品５７と一般入賞部品５８とは、共通の取付フランジ４３ｂにより遊技盤面１７に取付けられた一体品により構成される。
【００２９】
実施形態１では、１回の当り遊技中において、上大入賞部品７０の羽根部材７３が閉じて下大入賞部品５７の開閉体７９が開く場合に、上大入賞部品７０の入賞口７１に入賞せずに右側遊技領域５２から流下してくる球を下大入賞部品５７の入賞口７８に誘導する誘導手段８０Ａを備える。
誘導手段８０Ａは、上記球受案内部材５５の球受案内面７７と、遊技盤面１７側から遊技盤３に打ち込まれた釘２２により形成された誘導路８０とにより構成される。
【００３０】
図４に示すように、誘導路８０は、第１誘導連釘８１乃至第７誘導連釘８７、第１誘導釘８９乃至第５誘導釘９３とにより形成される。尚、連釘とは、複数の釘２２が並ぶように配置された構成の釘群を言う。連釘において互いに隣り合う釘２２と釘２２との間隔は１個の球の直径よりも小さい間隔に形成される。従って、球は連釘上を流下する。尚、釘２２は、釘の頭と閉じられた前扉７の前面パネル１２との間の間隔が１個の球の直径よりも小さい間隔となるように釘の先端側が遊技盤面１７側から遊技盤３に打ち込まれている。
【００３１】
第１誘導連釘８１は、３個の釘により構成され、第１誘導連釘８１の右端の釘と球受案内部材５５の球受案内面７７の左端との間隔が１個の球の直径よりも小さい間隔に形成される。従って、球が第１誘導連釘８１の右端の釘と球受案内部材５５との間から流下することはない。
第１誘導連釘８１により形成されて球を流下させる傾斜路は、右側から左側に向けて下るように傾斜する傾斜路により形成される。この傾斜路の傾斜角度は、球受案内部材５５の球受案内面７７の傾斜角度よりも急な傾斜角度に形成される。
【００３２】
第１誘導釘８９は、第１誘導連釘８１の左端の釘よりも下方で、かつ、第１誘導連釘８１の左端の釘を通過する垂直線と第１誘導連釘８１の中央の釘を通過する垂直線との間に位置されるように設けられる。
第１誘導釘８９と第１誘導連釘８１の左端の釘との間の間隔は、１個の球の直径よりも小さい間隔に形成される。
【００３３】
第２誘導連釘８２は、４個の釘により構成され、第２誘導連釘８２の右端の釘と第１誘導連釘８１の左端の釘との間の間隔ａは１個の球の直径よりも大きい間隔、例えば、１個の球の直径の１．５倍〜２倍程度の間隔に形成される。
第２誘導連釘８２により形成されて球が流下する傾斜路は、右側から左側に向けて下るように傾斜する傾斜路により形成される。この第２誘導連釘８２により形成される傾斜路と第１誘導連釘８１により形成される傾斜路とが同一傾斜面上に形成された同一傾斜角度の傾斜路に形成される。
【００３４】
第３誘導連釘８３は、第２誘導連釘８２の下方に設けられた７個の釘により構成され、第３誘導連釘８３の右端の釘と第１誘導釘８９との間の間隔ｂが１個の球の直径よりも大きい間隔、例えば、１個の球の直径の１倍以上２倍未満の間隔に形成され、球が２個並んで一緒に通過できない間隔となっている。
第３誘導連釘８３により形成されて球が流下する傾斜路は、右側から左側に向けて下るように傾斜する傾斜路により形成される。この第３誘導連釘８３により形成される傾斜路の傾斜角度は、第１誘導連釘８１により形成される傾斜路の傾斜角度と同じ傾斜角度に形成される。
【００３５】
第４誘導連釘８４は、２個の釘により構成され、第３誘導連釘８３の左端の釘よりも下方で、かつ、第３誘導連釘８３の左端の釘よりも左側に位置されるとともに、下大入賞部品５７の入賞口７８の右端部の上方に位置するように設けられる。
第４誘導連釘８４の右端の釘と第３誘導連釘８３の左端の釘との間の間隔ｃが１個の球の直径よりも大きい間隔、例えば、１個の球の直径の１倍以上２倍未満の間隔に形成され、球が２個並んで一緒に通過できない間隔となっている。
第４誘導連釘８４により形成されて球が流下する傾斜路は、右側から左側に向けて下るように傾斜する傾斜路により形成される。この第４誘導連釘８４により形成される傾斜路の傾斜角度は、第３誘導連釘８３により形成される傾斜路の傾斜角度よりもさらに急な傾斜角度に形成される。
【００３６】
第５誘導連釘８５は、第４誘導連釘８４よりも左側に設けられた４個の釘により構成される。
第５誘導連釘８５の左端の釘は、第４誘導連釘８４の左端の釘とほぼ同一平面上に位置するように設けられる。
第５誘導連釘８５の右端の釘は、第３誘導連釘８３の左端の釘とほぼ同一平面上に位置するように設けられる。
第５誘導連釘８５により形成されて球が流下する傾斜路は、右側から左側に向けて下るように傾斜するとともに左側に若干膨出するような湾曲傾斜路により形成される。この第５誘導連釘８５により形成される湾曲傾斜路の傾斜角度は、第４誘導連釘８４により形成される傾斜路の傾斜角度とほぼ同じ傾斜角度に形成される。
第５誘導連釘８５と第４誘導連釘８４との間の間隔は、１個の球の直径よりも大きい間隔、例えば、１個の球の直径の１．５倍〜２倍程度の間隔に形成される。
【００３７】
第２誘導釘９０は、第５誘導連釘８５の右端の釘よりも上方で、第２誘導連釘８２の左端の釘よりも下方に位置し、かつ、第５誘導連釘８５の右端の釘よりも右側に位置されるとともに、第４誘導連釘８４の左端の釘よりも左側に位置するように設けられる。
第２誘導釘９０と第５誘導連釘８５の右端の釘との間の間隔ｄは、１個の球の直径よりも大きい間隔、例えば、１個の球の直径の１．５倍〜２倍程度の間隔に形成される。
第２誘導釘９０と第２誘導連釘８２の左端の釘との間の間隔ｅは、間隔ａ、ｂ、ｃ、ｄのそれぞれの間隔よりもさらに大きい間隔に形成される。
【００３８】
第６誘導連釘８６は、９個の釘により構成され、第６誘導連釘８６により形成されて球が流下する傾斜路は、右側から左側に向けて下るように傾斜する傾斜路により形成される。この第６誘導連釘８６により形成される傾斜路の傾斜角度は、第１誘導連釘８１、第２誘導連釘８２、第３誘導連釘８３により形成される傾斜路の傾斜角度と同じ傾斜角度に形成される。
即ち、第３誘導連釘８３により形成される傾斜路と、第１誘導連釘８１及び第２誘導連釘８２により形成される傾斜路と、第６誘導連釘８６により形成される傾斜路とが、図４の二点鎖線の仮想線で示す互いに平行な３つの傾斜面ｐ、ｑ、ｒ上に位置するように形成され、互いに隣り合う傾斜面と傾斜面との間の間隔が１個の球の直径よりも大きい間隔、例えば、球の直径の１．５倍〜２倍程度の間隔に形成される。第３誘導連釘８３の傾斜路が一番下方の傾斜面ｒ上に形成され、第６誘導連釘８６の傾斜路が一番上方の傾斜面ｐ上に形成され、第１誘導連釘８１及び第２誘導連釘８２の傾斜路が傾斜面ｐと傾斜面ｒとの間に位置する傾斜面ｑ上に形成される。
第６誘導連釘８６の右端の釘は、第２誘導釘９０のほぼ真上に設けられ、第６誘導連釘８６の右端の釘と第２誘導釘９０との間の間隔は、１個の球の直径よりも小さい間隔に形成される。
【００３９】
第７誘導連釘８７は、４個の釘により構成され、第７誘導連釘８７により形成されて球が流下する傾斜路は、右側から左側に向けて下るように傾斜する傾斜路により形成される。
第７誘導連釘８７により形成される傾斜路は、第６誘導連釘８６により形成される傾斜路を形成する傾斜面と同一の傾斜面上に形成される。
第７誘導連釘８７の右端の釘と第６誘導連釘８６の左端の釘との間の間隔ｇは、１個の球の直径よりも大きい間隔、例えば、１個の球の直径の１．５倍〜２倍程度の間隔に形成される。
第７誘導連釘８７の右端の釘は、下大入賞部品５７の入賞口７８の左端部の上方に位置するように設けられる。
第７誘導連釘８７の左端の釘は、下大入賞部品５７の入賞口７８の左端よりも左側の上方に位置するように設けられる。
第７誘導連釘８７と下大入賞部品５７の入賞口７８との間の最短の間隔ｓは、１個の球の直径よりも大きい間隔、例えば、１個の球の直径の１倍以上２倍未満の間隔に形成され、球が２個並んで一緒に通過できない間隔となっている。
【００４０】
第３誘導釘９１は、第６誘導連釘８６の左端の釘のほぼ真下の位置に設けられる。
第３誘導釘９１と第６誘導連釘８６の左端の釘との間の間隔は、１個の球の直径よりも小さい間隔に形成される。
【００４１】
第４誘導釘９２は、下大入賞部品５７の入賞口７８の左右間の中間位置の上方で、かつ、第３誘導釘９１と第５誘導連釘８５の右端の釘との間のほぼ中間位置に設けられる。
第４誘導釘９２と第３誘導釘９１と第５誘導連釘８５の右端の釘とを通過する傾斜面と球受案内部材５５の球受案内面７７の傾斜面とが同じ方向に傾斜し、かつ、これら傾斜面の傾斜角度が略同じ傾斜角度に形成される。
第４誘導釘９２と第３誘導釘９１との間の間隔ｈ、第４誘導釘９２と第５誘導連釘８５との間の最短間隔ｉは、１個の球の直径よりも大きい間隔、例えば、１個の球の直径の１．５倍〜２倍程度の間隔に形成される。
【００４２】
第５誘導釘９３は、下大入賞部品５７の入賞口７８の左右間の中間位置よりも左側の上方で、かつ、第３誘導釘９１と第４誘導釘９２との間のほぼ中間位置の下方に設けられる。第５誘導釘９３と第４誘導連釘８４の左端の釘と第５誘導連釘８５の左端の釘とがほぼ同一水平面上に位置するように設けられる。
第５誘導釘９３と第３誘導釘９１との間の間隔ｊ、第５誘導釘９３と第４誘導釘９２との間の間隔ｍ、第５誘導釘９３と第５誘導連釘８５の左端の釘と間の間隔ｎは、１個の球の直径よりも大きい間隔、例えば、１個の球の直径の１．５倍〜２倍程度の間隔に形成される。
【００４３】
以上説明したような誘導手段８０Ａを備えるので、球が始動入賞部品５６の入賞口５６ａに入賞し、主制御部１０１が、始動入賞部品５６内に設けられた始動入賞球検出器１２４（図５参照）から球検出信号を入力して当り外れ抽選を行って当りであると判定し、上大入賞部品７０の羽根部材７３を所定時間開く開閉動作を所定回数行った後に下大入賞部品５７の開閉体７９を所定時間開く開閉動作を所定回数行う当り遊技を行う場合において、上大入賞部品７０の羽根部材７３が開いた状態から閉じた状態に変化した場合に、上大入賞部品７０の入賞口７１に入らずに右側遊技領域５２を流下する球が誘導手段８０Ａにより下大入賞部品５７の方向に誘導されて、開状態の開閉体７９の内側を介して入賞口７８に入賞し易くなる。
【００４４】
即ち、上大入賞部品７０の羽根部材７３が開いた状態から閉じた状態に変化した場合において、右側遊技領域５２から球受案内部材５５の球受案内面７７上に落下した球は、第１誘導連釘８１上に移動し、第２誘導連釘８２上に移動するか、或いは、間隔ａを介して流下する。
右飾り部３４の下側壁部６３と球受案内部材５５の球受案内面７７の左端との間の最短距離Ｌ（図２参照）の幅である右側遊技領域５２から下側遊技領域５９への球通路を介して下側遊技領域５９に流下した球は、第１誘導連釘８１上又は第２誘導連釘８２上に移動するか、或いは、間隔ａを介して流下する。
間隔ａを介して流下した球は、第３誘導連釘８３上に移動するか、或いは、間隔ｂを介して流下して一般入賞部品５８に入賞する。
第２誘導連釘８２上に移動した球は、間隔ｅを介して流下する。
間隔ｅを介して流下した球、或いは、第３誘導連釘８３上を流下した球は、第５誘導連釘８５と第４誘導連釘８４との間を経由して開状態の開閉体７９の内側に移動して下大入賞部品５７の入賞口７８に入賞するか、間隔ｃ又は間隔ｄを介して流下する。
間隔ｄを介して流下した球は、第４誘導釘９２、第６誘導連釘８６、第５誘導釘９３、第３誘導釘９１、第５誘導連釘８５の１つ以上に衝突し、間隔ｉ、ｈ、ｍ、ｎ、ｊを介して開状態の開閉体７９の内側に移動して下大入賞部品５７の入賞口７８に入賞するか、間隔ｓを介して流下する。
即ち、誘導路８０は、間隔ｂ、間隔ｃを介して流下せずに、間隔ｄを介して流下する球や第５誘導連釘８５と第４誘導連釘８４との間を経由して流下する球が大入賞部品５７の入賞口７８に高い確率で入賞するように構成される。
【００４５】
誘導路８０において、右側遊技領域５２から誘導手段８０Ａを経由する球を下大入賞部品５７の入賞口７８に誘導せずに下大入賞部品５７の下方に誘導する可能性のある間隔は、間隔ｂ、間隔ｃ、間隔ｓである。
即ち、間隔ｂは下大入賞部品５７の入賞口７８の横幅寸法Ｙで規定される間口の真上に位置せず、かつ、間隔ｂを通過する球は誘導釘９５と誘導釘９６との間を通過してアウト口２４に流下したり、誘導釘９６と誘導釘９７との間を通過して一般入賞部品５８に入る可能性が高いので、間隔ｂを通過して流した球が下大入賞部品５７の入賞口７８に入る可能性はほとんど無い。また、間隔ｓは下大入賞部品５７の入賞口７８の間口の真上に位置せず、かつ、間隔ｓを通過する球は下大入賞部品５７の下方に誘導されてアウト口２４に流下する可能性が高く、間隔ｓを通過した球が下大入賞部品５７の入賞口７８に入る可能性はほとんど無い。また、間隔ｃは、下大入賞部品５７の入賞口７８の右端の上方に位置するように設けられているので、間隔ｃを通過した球は下大入賞部品５７の入賞口７８に入らずに下大入賞部品５７の下方に誘導される可能性がある。例えば、間隔ｃは、下大入賞部品５７の入賞口７８の右端の真上に間隔ｃの中心点が位置するように設けられており、間隔ｃの右半分が下大入賞部品５７の入賞口７８の間口の真上に位置しないので、間隔ｃを通過した球は下大入賞部品５７の入賞口７８に入らない可能性が高くなる。即ち、間隔ｃは、少なくとも一部が下大入賞部品５７の入賞口７８の間口の真上に位置しないように設けられることで、間隔ｃのすべてが下大入賞部品５７の入賞口７８の間口の真上に位置するように設けられている場合と比べて、間隔ｃを通過した球が下大入賞部品５７の入賞口７８に入らずに下大入賞部品５７の下方に誘導される可能性が高くなる。
そして、実施形態では、これらの球を下大入賞部品５７の入賞口７８に誘導せずに下大入賞部品５７の下方に誘導する可能性のある１つ以上の間隔、即ち、間隔ｂ、間隔ｃ、間隔ｓの合計寸法Ｘと、下大入賞部品５７の入賞口７８の横幅寸法Ｙとの関係が、合計寸法Ｘ＜横幅寸法Ｙとなるように構成されたため、右側遊技領域５２から誘導手段８０Ａを経由する球が下大入賞部品５７の入賞口７８に入らずに下大入賞部品５７の下方に誘導される可能性が少なくなり、右側遊技領域５２から誘導手段８０Ａを経由する球が下大入賞部品５７の入賞口７８に誘導される可能性が多くなる。
例えば、球の直径は１１ｍｍなので、間隔ｂ、間隔ｃ、間隔ｓはいずれも１１ｍｍ以上２２ｍｍ未満（１個の球の直径の１倍以上２倍未満）に形成される。具体的な一例として、間隔ｂ及び間隔ｃが１５ｍｍ、間隔ｓが２０ｍｍで合計寸法Ｘが５０ｍｍ、入賞口７８の横幅寸法Ｙが５５ｍｍとされることで、合計寸法Ｘ＜横幅寸法Ｙに構成されている。
【００４６】
また、釘２２と釘２２との間で形成される間隔ｂ及び間隔ｃは、傾斜面上において上流側から下流側にかけて間欠させた構成であるので、傾斜面により球の流下速度が速くなり、水平面において間欠させて設けられた間隔と比べて、球が間隔を飛び越えて間隔に入らない可能性が高くなるので、球が下大入賞部品５７に誘導され易くなる。
さらに、間隔ｂ及び間隔ｃが形成される傾斜面の傾斜角度、即ち、間隔ｂ及び間隔ｃの傾斜角度は、第１誘導連釘８１、第２誘導連釘８２、第３誘導連釘８３により形成される傾斜路の傾斜角度よりも急な角度に形成されているので、第１誘導連釘８１上を流下して間隔ａを介して落下する球が間隔ｂを飛び越えて第３誘導連釘８３上に誘導され易くなり、また、第３誘導連釘８３上を流下する球が間隔ｃを飛び越え易くなるので、球が下大入賞部品５７に誘導され易くなる。
【００４７】
図２に示すように、右側遊技領域５２の右下に球受案内部材５５が設けられ、右側遊技領域５２から下側遊技領域５９への球通路における球の流下可能幅（右飾り部３４の下側壁部６３と球受案内部材５５の球受案内面７７の左端との間の最短の距離Ｌ）が、羽根部材７３よりも下方に位置する右側遊技領域５２における球の流下可能幅（右飾り部３４の下側壁部６３と内ガイドレール１８ａの右側レール部分との間の最短の距離Ｈ）よりも狭く設定されたので、右側遊技領域５２からの球が球受案内部材５５の球受案内面７７上に落下し、球受案内面７７の傾斜面を移動することにより勢いの付いた球が間隔ａを飛び越して第２誘導連釘８２上に移動する可能性が高くなる。これにより、球が間隔ｂを介して流下して下大入賞部品５７の入賞口７８に誘導されない可能性が低くなり、球が下大入賞部品５７の入賞口７８に誘導される可能性が高くなる。
【００４８】
このように、実施形態１のパチンコ機によれば、遊技機枠２の開閉枠６の前面に取付けられた遊技盤３のガイドレール１８の内側の右側遊技領域５２に上大入賞部品７０を備え、右側遊技領域５２よりも下方の下側遊技領域５９に下大入賞部品５７を備えるとともに、主制御部１０１が、１回の当り遊技において、上大入賞部品７０の入賞口７１を開いた状態（羽根部材７３が導入口開状態Ｂである入賞可能状態）から閉じた状態（羽根部材７３が導入口閉状態Ａである入賞不可能状態）に変化させた後、下大入賞部品５７の入賞口７８を閉じた状態（開閉体７９が入賞口７８を閉じた入賞不可能状態）から開いた状態（開閉体７９が下部を回転中心として遊技盤面１７の前方に回動された入賞可能状態）に変化させた場合において、上大入賞部品７０の入賞口７１に入らずに遊技領域５２を流下する球を下大入賞部品５７の入賞口７８に入賞し易いように誘導する誘導手段８０Ａを備えたので、上大入賞部品７０の入賞口７１に入らなかった球が下大入賞部品５７の入賞口７８に入り易くなり、上大入賞部品７０の入賞口７１に入らなかった球が下大入賞部品５７の入賞口７８にも入らない可能性を少なくできる。
【００４９】
次に、図５を参照しながらパチンコ機１の制御系について説明する。
パチンコ機１０の制御装置１００は、主制御部１０１、演出制御部１０２、払出制御部１０３、図柄制御部１０４、発射制御部１０５を備える。
主制御部１０１には、遊技に関する基本的なプログラムが記憶されており、この主制御部１０１からの命令信号に基づいて、各部の動作が制御されるようになっている。
主制御部１０１からは盤用外部端子１１０を介して遊技店に設置される図外の管理コンピュータへ遊技の進行状態を示す情報（始動入賞信号や大当り情報信号、図柄確定回数信号）が送信される。
【００５０】
主制御部１０１には、入力系として、上大入賞球検出器１２１、下大入賞球検出器１２２、スルーチャッカー通過球検出器１２３、始動入賞球検出器１２４、可変入賞球検出器１２５、一般入賞球検出器１２６が接続されている。
主制御部１０１には、出力系として、羽根部材駆動装置１５１、開閉体駆動装置１５２、ガイド片駆動装置１５３が接続されている。
【００５１】
演出制御部１０２には、装飾ランプ１５、スピーカ１６が接続されているとともに、図柄制御部１０４を介して画像表示装置４が接続されている。
演出制御部１０２は、装飾ランプ１５の点灯、消灯、及び点滅を制御し、さらに、スピーカ１６を作動させて効果音等の音声出力を制御する。また、演出制御部１０２により制御される図柄制御部１０４は、画像表示装置４の表示画面４ａに表示する演出図柄の表示制御を行う。
【００５２】
払出制御部１０３には、払出装置１６０及び発射制御部１０５が接続され、発射制御部１０５には発射装置１９が接続されている。この払出制御部１０３は、払出装置１６０を作動させて、入賞口への入賞に対する賞球又は貸し球の払い出し及び停止動作と払出数を制御する。また、発射制御部１０５は、遊技者による発射操作機構１３の操作により発射装置１９を作動させて、球の発射開始、及び、発射操作機構１３の操作量に応じた発射力を制御する。
さらに、払出制御部１０３は、枠用外部端子１１１を介して賞球又は貸球の払い出しに関する情報である払出情報を遊技店に設置された図外の管理コンピュータへ送信する。
【００５３】
実施形態１のパチンコ機１の動作を説明する。
遊技者が発射操作機構１３を操作することで駆動する発射装置１９により遊技領域２５に発射された球が入賞口に入賞せずに遊技領域２５の下端部に至った場合はアウト口２４から図外の排出樋を介して回収される。
球が各入賞口に入賞したことを球検出器から入力した主制御部１０１は、それぞれの遊技制御に基づく処理（例えば、抽選等）を実行すると共に、演出制御部１０２に対して画像表示装置４への画像表示演出、スピーカ１６を用いた音演出、装飾ランプ１５を用いた光演出等を行うよう指示する。
【００５４】
球が始動入賞部品５６の入賞口５６ａに入賞したこと示す球検出信号を始動入賞球検出器１２４から入力した主制御部１０１は、当り外れ抽選を行うとともに、画像表示装置４を制御して表示画面４ａに図柄演出表示を行わせる。主制御部１０１は、当り外れ抽選の結果が当りであれば、画像表示装置４を制御して画像表示装置４の表示画面４ａに当り図柄を表示させるとともに、遊技者に所謂右打ち遊技を指示するための図柄を表示画面４ａ等に表示させ、大当り遊技、又は、大役遊技と呼ばれる当り遊技に移行する。
主制御部１０１は、１回の当り遊技において、例えば、まず上大入賞部品７０の羽根部材７３を所定時間開く開閉動作を所定回数行うように羽根部材駆動装置１５１に駆動信号を出力した後に、下大入賞部品５７の開閉体７９を所定時間開く開閉動作を所定回数行うように開閉体駆動装置１５２に駆動信号を出力する。
１回の当り遊技では、例えば、上大入賞球検出器１２１、或いは、下大入賞球検出器１２２による１０回の検出又は羽根部材７３や開閉体７９の開放から所定時間の経過のうち、いずれか早い条件が成立するまでを１ラウンドとして、当該ラウンドが例えば１５回繰り返される。
実施形態１では、例えば、主制御部１０１は、１回の当り遊技において、上大入賞部品７０によって１ラウンドから５ラウンドまでを消化させ、その後、下大入賞部品５７によって６ラウンドから１５ラウンドまでを消化させるような制御を行う。
この場合、５ラウンドが終了して上大入賞部品７０の羽根部材７３が閉じてから（導入口閉状態Ａ）６ラウンドが始まって開閉体７９が開く入賞可能状態となるまでの時間は、右側遊技領域５２を通過して上大入賞部品７０の入賞口７１に入らなかった球が下大入賞部品５７の入賞口７８に到達するのに必要な時間よりも短い時間、例えば、０秒〜１秒程度に決められている。
【００５５】
実施形態２
実施形態１では、右側遊技領域５２に上大入賞部品７０を設け、下側遊技領域５９の右側領域に下大入賞部品５７を設けた構成を示したが、左側遊技領域５４に上大入賞部品を設け、下側遊技領域５９の左側領域に下大入賞部品を設けた構成としてもよい。
【００５６】
尚、上大入賞部品、下大入賞部品は、それぞれ複数個設けてもよい。
【符号の説明】
【００５７】
１  パチンコ機（遊技機）、３  遊技盤、２２  釘、２５  遊技領域、
５５  球受案内部材、５７  下大入賞部品、７０  上大入賞部品、７１  入賞口、
７７  球受案内面、７８  入賞口、８０Ａ  誘導手段、８０  誘導路。
【図１】
2013056039.tif 000003
【図２】
2013056039.tif 000004
【図３】
2013056039.tif 000005
【図４】
2013056039.tif 000006
【図５】
2013056039.tif 000007